(57)【特許請求の範囲】
【請求項１】
函体と蓋体とを備える配電函であって、
前記函体は、背面側の底壁と、その底壁から立ち上がる上下左右の壁からなる周壁と、その周壁に囲まれて前方に開口する開口とを、備え、
前記蓋体は、前記開口を開く開状態とその開口を閉じる閉状態との間を回動するよう前記函体に支持され、
前記周壁の外面には、その周壁の左右壁から下壁にかけて、前後に互いに間隔をあけて突出する複数条の遮水壁が設けられ、
前記蓋体は、閉状態で前記開口を覆う天壁と、その天壁から延出し閉状態で前記遮水壁を覆う左右側および下側の壁からなる蓋左右壁および蓋下壁とを、備え、
前記下壁側の前記遮水壁間に入り込んだ水を後方に向けて排水すべく、後方側の前記遮水壁には、前記下壁側に排水口が設けられ、
前記周壁の外面には、前記排水口よりも後方であって、前記蓋体が閉状態で前記蓋下壁に覆われる位置に、補助遮水壁が突出して設けられ、
前記補助遮水壁は、前記排水口と対面しない位置に補助排水口を有するか、または、前記排水口と対面しない位置であって前記補助遮水壁と前記蓋左右壁内面との間に補助排水口を構成するように形成される、配電函。
【請求項２】
前記蓋下壁の内面は、前記蓋体が閉状態で、後方に向かうにつれて前記下壁の外面から離れるように傾斜する、請求項１に記載の配電函。
【請求項３】
前記下壁には、ケーブル挿通口を形成するためのノックアウトが設けられ、前記下壁の外面には、前記ノックアウトの周縁にそのノックアウトを取り囲むように突出する囲みリブが設けられ、その囲みリブは、前記蓋下壁の内面に倣って、後方に向かうにつれて高くなるよう形成される、請求項２に記載の配電函。
【発明の詳細な説明】
【技術分野】
【０００１】
この発明は、防水性を備えた配電函に関するものである。
【背景技術】
【０００２】
従来、配電函として、例えば、特許文献１とか特許文献２に記載される配電函があった。ここで、特許文献１に記載される配電函は、図８に示すように、函体１１と蓋体１２とを備え、その函体１１は、背面側の底壁１１ａと、その底壁１１ａから立ち上がる上下左右の壁からなる周壁１１ｂとを備えていた。そして、この周壁１１ｂの外面には、蓋体１２で覆われる位置に、周壁１１ｂの上壁１１ｃおよび左右壁１１ｄに渡るようにして、二条の遮水壁１１ｅ、１１ｅが突出していた。
【０００３】
また、同様にして、特許文献２に記載される配電函は、図９に示すように、函体２１と蓋体（図示せず）とを備え、その函体２１は、背面側の底壁２１ａと、その底壁２１ａから立ち上がる上下左右の壁からなる周壁２１ｂとを備えていた。そして、この周壁２１ｂの外面には、蓋体で覆われる位置に、周壁２１ｂの左右壁２１ｃから下壁２１ｄにかかるようにして、二条の遮水壁２１ｅ、２１ｅが突出していた。
【先行技術文献】
【特許文献】
【０００４】
【特許文献１】特開２０１２−２３１６６０号公報
【特許文献２】特開２０１３−９５３０号公報
【発明の概要】
【発明が解決しようとする課題】
【０００５】
ところで、特許文献１に記載される配電函にあっては、二条の遮水壁１１ｅ、１１ｅを、上壁１１ｃおよび左右壁１１ｄに渡るようにして設けることで、雨水の跳ね返り等による上方背面側からの水とか側方背面側からの水に対する防水は、考慮されているが、下方背面側からの水に対する防水は、考慮されていなかった。
【０００６】
また、特許文献２に記載される配電函においては、二条の遮水壁２１ｅ、２１ｅが、左右壁２１ｃから下壁２１ｄにかかるようにして設けられたが、遮水壁２１ｅ、２１ｅ間に入り込んだ雨水の排水が滞ると、その雨水が函体２１内に入り込んでしまう虞があった。
【０００７】
この発明は、上記した従来の欠点を解決するためになされたものであり、その目的とするところは、防水性を損なうことなく、遮水壁間に入り込んだ雨水を確実に排水することができる、配電函を提供することにある。
【課題を解決するための手段】
【０００８】
この発明に係る配電函は、前記目的を達成するために、次の構成からなる。すなわち、
請求項１に記載の発明に係る配電函は、函体と蓋体とを備える。前記函体は、背面側の底壁と、その底壁から立ち上がる上下左右の壁からなる周壁と、その周壁に囲まれて前方に開口する開口とを、備える。そして、前記蓋体は、前記開口を開く開状態とその開口を閉じる閉状態との間を回動するよう前記函体に支持される。ここで、前記周壁の外面には、その周壁の左右壁から下壁にかけて、前後に互いに間隔をあけて突出する複数条の遮水壁が設けられる。そして、前記蓋体は、閉状態で前記開口を覆う天壁と、その天壁から延出し閉状態で前記遮水壁を覆う左右側および下側の壁からなる蓋左右壁および蓋下壁とを、備える。そこで、前記下壁側の前記遮水壁間に入り込んだ水を後方に向けて排水すべく、後方側の前記遮水壁には、前記下壁側に排水口が設けられる。そして、前記周壁の外面には、前記排水口よりも後方であって、前記蓋体が閉状態で前記蓋下壁に覆われる位置に、補助遮水壁が突出して設けられる。この補助遮水壁は、前記排水口と対面しない位置に補助排水口を有するか、または、前記排水口と対面しない位置であって前記補助遮水壁と前記蓋左右壁内面との間に補助排水口を構成するように形成される。
【０００９】
この配電函によると、函体の周壁の外面には、左右壁から下壁にかけて、複数条の遮水壁が設けられ、それら遮水壁のうちの後方側の遮水壁には、下壁側に排水口が設けられている。このため、遮水壁間に入り込んだ雨水は、この排水口を通って後方に排水される。そして、排水口の後方には、補助遮水壁が設けられ、このため、この配電函の防水性を損なうことがない。そして、遮水壁間に入り込んだ雨水は、排水口を通り、さらに、補助遮水壁に設けられた補助排水口、または、補助遮水壁と蓋左右壁内面との間に設けられた補助排水口を通って、後方に排水される。
【００１０】
また、請求項２に記載の発明に係る配電函は、請求項１に記載の配電函において、前記蓋下壁の内面は、前記蓋体が閉状態で、後方に向かうにつれて前記下壁の外面から離れるように傾斜する。こうして、蓋体における蓋下壁の内面が、後方に向かうにつれて函体における下壁の外面から離れるように傾斜することで、下壁と蓋下壁との間に入り込んだ雨水は、傾斜する蓋下壁の内面に沿って後方に排水される。
【００１１】
また、請求項３に記載の発明に係る配電函は、請求項２に記載の配電函において、前記下壁には、ケーブル挿通口を形成するためのノックアウトが設けられる。そして、前記下壁の外面には、前記ノックアウトの周縁にそのノックアウトを取り囲むように突出する囲みリブが設けられ、その囲みリブは、前記蓋下壁の内面に倣って、後方に向かうにつれて高くなるよう形成される。こうして、ノックアウトを取り囲む囲みリブが、蓋体における蓋下壁の内面に倣って、後方に向かうにつれて高くなるよう形成されることで、雨水は、囲みリブに遮られて、下壁と蓋下壁との間に入り込み難い。
【発明の効果】
【００１２】
この発明に係る配電函によれば、複数条の遮水壁のうちの後方側の遮水壁に排水口を設け、さらに、その排水口の後方に補助遮水壁を設けるとともに、補助排水口を設けることで、防水性を損なうことなく、遮水壁間に入り込んだ雨水を確実に排水することができる。
【図面の簡単な説明】
【００１３】
【図１】この発明の一実施の形態の、蓋体が開状態にある配電函を示す斜視図である。
【図２】同じく、蓋体が閉状態にある配電函を示す斜視図である。
【図３】同じく、配電函の底面図である。
【図４】同じく、図３におけるＡ−Ａ線による断面図である。
【図５】同じく、配電函の背面図である。
【図６】同じく、図５におけるＢ−Ｂ線による断面図である。
【図７】同じく、函体の斜視図である。
【図８】従来の配電函における、蓋体が開状態にある配電函を示す斜視図である。
【図９】従来の他の配電函における、函体を示す斜視図である。
【発明を実施するための形態】
【００１４】
以下、この発明に係る配電函を実施するための形態を図面に基づいて説明する。
【００１５】
図１〜図７は、本発明の一実施の形態を示す。図中符号１は、建物の壁とかポール等の被取付体に取り付けられる配電函を示し、この配電函１は、主に屋外に仮設あるいは常設されて、例えば、ブレーカーとかコンセントとかの配線器具や、ブースター等、その他の機器を収容する。
【００１６】
この配電函１は、函体２と蓋体３とを備える。函体２は、背面側の底壁２ａと、その底壁２ａから立ち上がる上下左右の壁からなる周壁２ｂと、その周壁２ｂに囲まれて前方に開口する開口２ｃとを、備える。一方、蓋体３は、函体２の開口２ｃを開く開状態（図１参照）とその開口２ｃを閉じる閉状態（図２参照）との間を回動するよう函体２に支持される。図示実施の形態においては、蓋体３を回動可能に支持する回動軸４は、函体２の上端側にあって、蓋体３は、その下端側から開閉動する。
【００１７】
ここで、函体２における周壁２ｂの外面には、その周壁２ｂの左右壁２ｄ、２ｄから下壁２ｅにかけて、前後に互いに間隔をあけて突出する複数条の遮水壁２ｆ、２ｆが設けられる。そして、蓋体３は、閉状態で函体２の開口２ｃを覆う天壁３ａと、その天壁３ａから延出し閉状態で遮水壁２ｆを覆う左右側および下側の壁からなる蓋左右壁３ｂ、３ｂおよび蓋下壁３ｃとを、備える。ここにおいて、蓋下壁３ｃの内面は、蓋体３が閉状態で、後方（つまり、天壁３ａから離れる側）に向かうにつれて函体２における下壁２ｅの外面から離れるように傾斜している。
【００１８】
そこで、下壁２ｅ側の遮水壁２ｆ、２ｆ間に入り込んだ水を後方に向けて排水すべく、後方側の遮水壁２ｆには、下壁２ｅ側に排水口２ｇが設けられる。そして、函体２における周壁２ｂの外面には、排水口２ｇよりも後方であって、蓋体３が閉状態で蓋下壁３ｃに覆われる位置に、補助遮水壁２ｈが突出して設けられる。この補助遮水壁２ｈは、前記排水口２ｇと対面しない位置であって補助遮水壁２ｈと蓋左右壁３ｂ内面との間に補助排水口５を構成するように形成される。すなわち、補助遮水壁２ｈが、蓋左右壁３ｂ内面から離れて位置することで、補助遮水壁２ｈと蓋左右壁３ｂ内面との間が、補助排水口５となる。
【００１９】
具体的には、この配電函１は、略直方体形状をしており、函体２の底壁２ａが略鉛直方向に延びる向きで配備され、その底壁２ａが被取付体あるいは取付ボード等に当てられて、その被取付体に直接あるいは取付ボード等を介して取り付けられる。
【００２０】
函体２においては、底壁２ａが、正面視略方形状（詳しくは、正面視略長方形状）に形成され、その底壁２ａの各辺から前方に向かって立ち上がる上下左右の壁（つまり、上壁２ｊと、前述の下壁２ｅおよび左右壁２ｄ、２ｄ）によって、方形枠状（詳しくは、長方形枠状）の周壁２ｂが形成される（図１、図７参照）。
【００２１】
この函体２は、左右壁２ｄの上端部であってその外面側に、略円筒状（詳しくは、先端の一部が斜めに切り欠かれた略円筒状）の連結筒部２ｋが突設されている（図７参照）。そして、その連結筒部２ｋに、蓋左右壁３ｂに設けられた連結軸部（図示せず）が嵌ることで、前述の回動軸４が形成されるとともに、蓋体３が函体２に連結される。
【００２２】
また、この函体２の下壁２ｅには、ケーブル挿通口を形成するためのノックアウト２ｎが設けられる。そして、下壁２ｅの外面には、ノックアウト２ｎの周縁にそのノックアウト２ｎを取り囲むように突出する囲みリブ２ｐが設けられ、その囲みリブ２ｐは、蓋下壁３ｃの内面に倣って、後方に向かうにつれて高くなるよう形成されている。詳細には、ノックアウト２ｎは、下壁２ｅの前端から後方に延びるようにして、略台形板状に形成され、その前端には、リブ２ｑが突出する。そして、前記囲みリブ２ｐは、ノックアウト２ｎを取り囲むように略Ｕ字状に形成され、そのＵ字状の囲みリブ２ｐの上端を繋ぐように前記リブ２ｑが設けられる。このノックアウト２ｎは、下壁２ｅにおける左右の二箇所に間隔をあけて設けられ、下壁２ｅの外面には、二つの囲みリブ２ｐ、２ｐを繋ぐようにして、前端と中間位置に、リブ２ｒ、２ｓが突出する。また、下壁２ｅの後部には、円板状に形成された、他のノックアウト２ｔが設けられる。
【００２３】
この函体２における周壁２ｂの外面に突出する遮水壁２ｆは、左右壁２ｄから下壁２ｅにかけて設けられるが、図示実施の形態においては、さらに、上壁２ｊおよび左右壁２ｄに渡るように設けられる。そして、遮水壁２ｆは、三条設けられている。そして、遮水壁２ｆは、下壁２ｅ側が、囲みリブ２ｐに繋がるように形成される。そして、前述の排水口２ｇは、囲みリブ２ｐに近接して設けられ、特に、遮水壁２ｆが切り欠かれるようにして形成される。また、遮水壁２ｆには、左右壁２ｄ側に、他の排水口２ｕが設けられ、この排水口２ｕもまた、遮水壁２ｆが切り欠かれるようにして形成される。
【００２４】
補助遮水壁２ｈは、函体２における下壁２ｅから下方に突出し、蓋下壁３ｃの内面に略接する（当接または近接する）高さを有する（図４参照）。そして、補助遮水壁２ｈは、囲みリブ２ｐに繋がるように形成される。この補助遮水壁２ｈは、囲みリブ２ｐとは反対側の側端が蓋左右壁３ｂ内面とは離れており、これによって、蓋左右壁３ｂ内面との間に、補助排水口５が形成される（図５、図６参照）。
【００２５】
また、上壁２ｊの外面には、遮水壁２ｆよりも後方において、他の遮水壁２ｗが突出している（図４参照）。この遮水壁２ｗは、Ｌ字状に後方に折れ曲がって形成され、蓋体３が閉状態にあるとき、蓋上壁３ｄの後方に近接して位置する。
【００２６】
蓋体３においては、天壁３ａは、正面視略方形状（詳しくは、正面視略長方形状）であって、上側が若干後方に湾曲するように形成される。そして、その天壁３ａから後方に向かって延出する上下左右の壁（つまり、蓋上壁３ｄと、前述の蓋下壁３ｃおよび蓋左右壁３ｂ、３ｂ）によって、略方形枠状（詳しくは、略長方形枠状）の蓋周壁３ｅが形成される（図２参照）。そこで、この蓋周壁３ｅが、函体２における周壁２ｂに被り、遮水壁２ｆ、２ｆおよび補助遮水壁２ｈを覆うこととなる。そして、蓋下壁３ｃには、その延出する先端から切り欠かれた切欠き３ｆ、３ｆが設けられる。
【００２７】
次に、以上の構成からなる配電函１の作用効果について説明する。この配電函１によると、函体２の周壁２ｂの外面には、左右壁２ｄから下壁２ｅにかけて、複数条（図示実施の形態においては三条）の遮水壁２ｆ、２ｆが設けられ、それら遮水壁２ｆ、２ｆのうちの後方側の遮水壁２ｆには、下壁２ｅ側に排水口２ｇが設けられている。このため、遮水壁２ｆ、２ｆ間に入り込んだ雨水は、排水口２ｇを通って後方に排水される。そして、排水口２ｇの後方には、補助遮水壁２ｈが設けられ、このため、この配電函１の防水性を損なうことがない。そして、遮水壁２ｆ、２ｆ間に入り込んだ雨水は、排水口２ｇを通り、さらに、補助遮水壁２ｈと蓋左右壁３ｂ内面との間に設けられた補助排水口５を通って、後方に排水される。すなわち、この配電函１によれば、複数条の遮水壁２ｆ、２ｆのうちの後方側の遮水壁２ｆに排水口２ｇを設け、さらに、その排水口２ｇの後方に補助遮水壁２ｈを設けるとともに、補助排水口５を設けることで、防水性を損なうことなく、遮水壁２ｆ、２ｆ間に入り込んだ雨水を確実に排水することができる。
【００２８】
また、蓋下壁３ｃの内面が、後方に向かうにつれて函体２における下壁２ｅの外面から離れるように傾斜することで、下壁２ｅと蓋下壁３ｃとの間に入り込んだ雨水は、傾斜する蓋下壁３ｃの内面に沿って後方に排水される。そして、函体２におけるノックアウト２ｎを取り囲む囲みリブ２ｐが、蓋下壁３ｃの内面に倣って、後方に向かうにつれて高くなるよう形成されることで、雨水は、囲みリブ２ｐに遮られて、下壁２ｅと蓋下壁３ｃとの間に入り込み難い。
【００２９】
なお、本発明は、上述した実施の形態に限定されるわけではなく、その他種々の変更が可能である。例えば、遮水壁２ｆは、三条設けられているが、二条であっても、また、四条以上設けられてもよい。
【００３０】
また、排水口２ｇとか他の排水口２ｕは、遮水壁２ｆが切り欠かれるようにして形成されるが（つまり、遮水壁２ｆに設けられた切欠きからなるが）、遮水壁２ｆに設けられた丸孔とか角孔等の孔であってもよい。
【００３１】
また、補助遮水壁２ｈは、排水口２ｇと対面しない位置であって補助遮水壁２ｈと蓋左右壁３ｂ内面との間に補助排水口５を構成するように形成されなくとも、補助遮水壁２ｈが、排水口２ｇと対面しない位置に補助排水口５を有してもよい。すなわち、補助排水口５は、補助遮水壁２ｈに設けられた切欠きであったり孔であったりしてもよい。これにより、遮水壁２ｆ、２ｆ間に入り込んだ雨水は、排水口２ｇを通り、さらに、補助遮水壁２ｈに設けられたこの補助排水口５を通って、後方に排水される。
【００３２】
また、補助遮水壁２ｈは、蓋体３が閉状態で蓋下壁３ｃに覆われる位置に設けられるが、この補助遮水壁２ｈから連続して延びて、蓋左右壁３ｂに覆われる位置に、他の補助遮水壁が設けられてもよい。
【００３３】
また、この配電函１にあっては、函体２の周壁２ｂに連結筒部２ｋが設けられ、その連結筒部２ｋに嵌る連結軸部（図示せず）が蓋左右壁３ｂに設けられるが、反対に、蓋体３に連結筒部が設けられ、函体２に連結軸部が設けられてもよい。また、これら連結筒部と連結軸部によって回動軸４を形成しなくとも、例えば、函体２と蓋体３とを薄肉のヒンジを介して、互いに一体に形成し、そのヒンジが回動軸４を形成するような構成であってもよい。また、配電函１は、回動軸４が函体２の上端側にあって、蓋体３が、その下端側から開閉動するが、回動軸４を函体２の左端側または右端側に設けて、蓋体３が、その右端側または左端側から開閉動するようにしてもよい。
【符号の説明】
【００３４】
１  配電函
２  函体
２ａ  底壁
２ｂ  周壁
２ｃ  開口
２ｄ  左右壁
２ｅ  下壁
２ｆ  遮水壁
２ｇ  排水口
２ｈ  補助遮水壁
３  蓋体
３ａ  天壁
３ｂ  蓋左右壁
３ｃ  蓋下壁
５  補助排水口
【図１】
0006389428.tif 000002
【図２】
0006389428.tif 000003
【図３】
0006389428.tif 000004
【図４】
0006389428.tif 000005
【図５】
0006389428.tif 000006
【図６】
0006389428.tif 000007
【図７】
0006389428.tif 000008
【図８】
0006389428.tif 000009
【図９】
0006389428.tif 000010